(57)【要約】【課題】ケース本体および当該ケース本体の開口部を開閉する開閉扉のそれぞれが透明部材で形成され、かつ開閉扉が自動的に開閉駆動されるものでありながら、閉じ動作中の開閉扉によって人体の手首等が挟み込まれる危惧のない安全性を確保することができる信頼性の高い透明開閉装置を得ることにある。【解決手段】  透明のケース本体１と、このケース本体１の開口部を開閉する透明の開閉扉２と、この開閉扉２を自動的に開閉駆動する扉駆動手段１１とからなる透明開閉装置において、開閉扉２の閉じ動作時に当該開閉扉２による人体等の挟み込み危険因子を検知し、該検知時に扉駆動手段１１を自動停止させる危険因子検知手段３０を備えたものである。【選択図】  図１
2009013612.tif 000002
【特許請求の範囲】
【請求項１】
透明のケース本体と、このケース本体の開口部を開閉する透明の開閉扉と、この開閉扉を自動的に開閉駆動する扉駆動手段とからなる透明開閉装置において、前記開閉扉の閉じ動作時に当該開閉扉による人体等の挟み込み危険因子を検知し、該検知時に前記扉駆動手段を自動停止させる危険因子検知手段を備えたことを特徴とする透明開閉装置。
【請求項２】
ボックス基台上に設置された透明のケース本体と、このケース本体の開口部を当該ケース本体とは非接触状態で開閉する透明の開閉扉と、前記ボックス基台の内部に収納設置されて前記開閉扉を開閉駆動する扉駆動手段と、前記開閉扉の閉じ動作時に当該開閉扉による人体等の挟み込み危険因子を検知し、該検知時に前記扉駆動手段を自動停止させる危険因子検知手段を備えたことを特徴とする透明開閉装置。
【請求項３】
扉駆動手段の操作系統には、扉開閉操作者が予め生体認証された専従操作者か否かを判断して判断結果が専従操作者本人の時にのみ前記扉駆動手段を開閉扉の開方向に起動させる生体認証手段が設けられていることを特徴とする請求項１または請求項２記載の透明開閉装置。
【請求項４】
生体認証手段は、専従操作者本人の指紋，声紋，手・指の静脈形状，瞳の虹彩等の何れかによる人体的特徴の生体情報が予め記憶・登録された記憶手段と、扉開閉操作者の生体情報を読み取り検知する生体情報検知手段とを備え、前記生体情報検知手段で検知された検知生体情報と前記記憶手段から読み出した登録生体情報とを照合して、前記検知生体情報と登録生体情報とが一致した時にのみ扉駆動手段を開閉扉の開方向に起動させる生体認証システムからなっていることを特徴とする請求項３記載の透明開閉装置。
【請求項５】
扉駆動手段は停電時にバックアップ電源に接続されるようになっていることを特徴とする請求項１から請求項４のうちのいずれか１項記載の透明開閉装置。
【請求項６】
危険因子検知手段は、開閉扉の上端両側部に実装された光センサ、開閉扉の上端面に実装された透明な反射式センサ、開閉扉の上端面に実装された透明なタッチセンサの何れかよりなっていることを特徴とする請求項１または請求項２記載の透明開閉装置。
【発明の詳細な説明】
【技術分野】
【０００１】
この発明は、例えば貴金属や宝石等の高価商品を収納展示するショーケースとして最適な透明開閉装置に関するものである。
【背景技術】
【０００２】
貴金属や宝石等を収納展示するショーケースにおいて、その美的外観を得るために全体をガラス製としたものは周知である。このような従来のガラス製ショーケースでは、ガラスケースの開口部に取り付けたガラス扉を片開き式や両開き式あるいは引き違い式とした構造となっているのが殆どである。したがって、前記ガラス扉は、蝶番や上下平行のガイドレールによる取り付け構造となっており、また、防盗の点に関しても南京錠や組込錠機構などによってロックする構造としているのが実状である。
【０００３】
このような従来のガラス製ショーケースでは、ガラスケースの開口部にガラス扉を取り付けている蝶番やガイドレール等がガラスを透して外部に露出する結果となるため、ショーケース自体の美的外観が損なわれ、かつ商品価値が低減するという問題があった。さらには、防盗の点でも南京錠や組込錠機構によってガラス扉をロックするのでは、容易にピッキングされ易いという問題があった。また、ガラス扉開閉の都度、人為的なキー操作によって施錠及び解錠を行わなければならず、このような施錠・解錠操作は面倒という問題もあった。
【０００４】
また、美術館や博物館などの展示ケースにおいて、その前面上部に昇降パネルを設置し、展示物があるときは前記パネルを展示ケースの上部に上昇退避させ、展示物がないときは前記パネルを下降させて展示ケースを隠蔽すべく、前記パネルをワイヤロープやチェーン等の索条で吊持し、この索条を機械的に巻き上げ・巻き戻すことによって、前記パネルを昇降駆動する構造としたものも既に知られている（例えば、特許文献１参照）。
【０００５】
特許文献１に開示された昇降パネルの昇降機構をガラス製ショーケースのガラス扉に適用することも考えられるが、この場合、前記昇降機構自体が大がかりで大型化するのみならず、特にガラス扉をワイヤロープやチェーン等の索条で吊持したのでは、その索条がショーケース前面に露出する結果となるので、特許文献１のパネル昇降機構をガラス製ショーケースに転用することは全く不可能である。
【０００６】
そこで、ガラス製ショーケースにおいて、ガラスケースとガラス扉以外の別部材が外部に露出しないように工夫し、かつガラス扉をリモコン操作等によって自動的に昇降開閉駆動する構造としたものも既に提供されている。
【０００７】
【特許文献１】特開平９−９８８５５号公報（第２頁、図１，２）
【発明の開示】
【発明が解決しようとする課題】
【０００８】
リモコン操作等でガラス扉を自動的に開閉駆動する構造としたガラス製ショーケースにおいては、ガラスケースおよびガラス扉が透明であることから、前記ガラス扉が閉じ動作しているにもかかわらず、それに気付かずに人体の手首等をガラスケース内に差し込むと、閉じ動作中のガラス扉によって手首等が挟み込まれる危険性があった。
【０００９】
この発明は上記のような課題を解決するためになされたものであって、ケース本体および当該ケース本体の開口部を開閉する開閉扉のそれぞれが透明部材で形成され、かつ開閉扉が自動的に開閉駆動されるものでありながら、閉じ動作中の開閉扉によって人体の手首等が挟み込まれる危惧のない安全性を確保することができる信頼性の高い透明開閉装置を提供することを目的とする。
【課題を解決するための手段】
【００１０】
この発明に係る透明開閉装置は、透明のケース本体と、このケース本体の開口部を開閉する透明の開閉扉と、この開閉扉を自動的に開閉駆動する扉駆動手段とからなる透明開閉装置において、前記開閉扉の閉じ動作時に当該開閉扉による人体の手首等の挟み込み危険因子を検知し、該検知時に前記扉駆動手段を自動停止させる危険因子検知手段を備えたことを特徴とするものである。
【００１１】
また、この発明に係る透明開閉装置は、ボックス基台上に設置された透明のケース本体と、このケース本体の開口部を当該ケース本体とは非接触状態で開閉する透明の開閉扉と、前記ボックス基台の内部に収納設置されて前記開閉扉を開閉駆動する扉駆動手段と、前記開閉扉の閉じ動作時に当該開閉扉による人体等の挟み込み危険因子を検知し、該検知時に前記扉駆動手段を自動停止させる危険因子検知手段を備えたことを特徴とするものである。
【００１２】
さらに、この発明に係る透明開閉装置は、扉駆動手段の操作系統に、扉開閉操作者が予め生体認証された専従操作者か否かを判断して判断結果が専従操作者本人の時にのみ前記扉駆動手段を開閉扉の開方向に起動させる生体認証手段を設けたことを特徴とするものである。
【００１３】
さらに、この発明に係る透明開閉装置の生体認証手段は、専従操作者本人の指紋，声紋，手・指の静脈形状，瞳の虹彩等の何れかによる人体的特徴の生体情報が予め記憶・登録された記憶手段と、扉開閉操作者の生体情報を読み取り検知する生体情報検知手段とを備え、前記生体情報検知手段で検知された検知生体情報と前記記憶手段から読み出した登録生体情報とを照合して、前記検知生体情報と登録生体情報とが一致した時にのみ扉駆動手段を開閉扉の開方向に起動させる生体認証システムからなっていることを特徴とするものである。
【００１４】
さらに、この発明に係る透明開閉装置の扉駆動手段は、停電時にバックアップ電源に接続されるようになっていることを特徴とするものである。
【００１５】
さらに、この発明に係る透明開閉装置の危険因子検知手段は、開閉扉の上端両側部に実装された光センサ、開閉扉の上端面に実装された透明な反射式センサ、開閉扉の上端面に実装された透明なタッチセンサの何れかよりなっていることを特徴とするものである。
【発明の効果】
【００１６】
この発明の透明開閉装置によれば、開閉扉の閉じ動作時において、当該開閉扉の閉じ方向の端部とケース本体との間に手首等の挟み込み危険因子があると、これを危険因子検知手段が検知して扉駆動手段を自動停止させるので、ケース本体および開閉扉のそれぞれが透明部材で形成され、かつ開閉扉が自動的に開閉駆動されるものでありながら、閉じ動作中の開閉扉によって人体の手首等が挟み込まれる危惧のない安全性を確保することができて透明開閉装置の信頼性が向上するという効果がある。
【００１７】
また、この発明の透明開閉装置によれば、透明の開閉扉を有する透明のケース本体をボックス基台上に設置すると共に、該ボックス基台の内部に扉駆動手段を収納設置したので、透明のケース本体および開閉扉以外の扉駆動手段やガイド部材等がケース本体側に一切露出しない透明のショーケースとして適用でき、このため、ショーケース全体（ケース本体と開閉扉）をガラス製としても外観上ガラス以外の余分な部材の露出がないガラス特有の美的外観を向上させることができるという効果がある。また、開閉扉の閉止位置ではボックス基台内部の扉駆動手段のインターロック機能によって前記開閉扉が自動的にロックされた状態となるので、従来のような南京錠や組込錠機構を一切必要とせずに防盗性を確保できると共に、前記開閉扉をリモコン操作のみで容易に開閉させることが可能になるという効果がある。しかも、前記開閉扉はケース本体に対して非接触状態で開閉駆動されるので、ケース本体および開閉扉のそれぞれがガラス製であっても開閉扉の開閉時にガラス相互の接触に起因した軋み音や破損等が生じるようなことがなく、開閉扉をスムーズに開閉駆動することができるという効果がある。特に、これらの効果に加えて、開閉扉の閉じ動作時に当該開閉扉の閉じ方向端部とケース本体との間に手首等の挟み込み危険因子があると、これを危険因子検知手段が検知して扉駆動手段を自動停止させるので、閉じ動作中の開閉扉によって人体の手首等が挟み込まれる危惧のない安全性を確保することができて透明開閉装置の信頼性が向上するという効果がある。
【００１８】
さらに、この発明の透明開閉装置によれば、扉駆動手段の操作系統に設けられた生体認証手段によって、扉開閉操作者が予め生体認証された専従操作者であるか否かを判断して判断結果が専従操作者本人の時にのみ扉駆動手段を開閉扉の開方向に起動させるので、貴金属や宝石等の高価商品を収納展示するショーケースのセキュリティをいっそう高めることができるという効果がある。
【００１９】
さらに、この発明の透明開閉装置によれば、扉駆動手段が停電時にバックアップ電源に接続されるので、開閉扉の開放状態で停電になった場合でもバックアップ電源によって前記開閉扉を閉じ駆動させることができるので、高価商品を収納展示するショーケースの停電時においてもセキュリティを高めることができるという効果がある。
【発明を実施するための最良の形態】
【００２０】
実施の形態１．
図１はこの発明の実施の形態１による透明開閉装置として例示したショーケースの斜視図、図２は図１の縦断側面図、図３は図１の縦断正面図、図４は図３のＡ−Ａ線に沿った断面矢視図、図５（Ａ）はショーケースに危険因子検知手段を取り付けた状態を示す斜視図、図５（Ｂ）は図５（Ａ）の危険因子検知手段の取付部を示す拡大図、図６（Ａ）はショーケースから危険因子検知手段を取り外した状態を示す斜視図、図６（Ｂ）は図６（Ａ）の開閉扉の部分正面図および部分側面図である。
【００２１】
この発明の実施の形態１によるショーケースは、前面が開口した透明なケース本体１と、このケース本体１の開口部を昇降開閉する透明な開閉扉２とからなり、前記ケース本体１は不透明なボックス基台３上に載置固定されている。前記ケース本体１と開閉扉２のそれぞれは強化ガラス板からなり、前記ボックス基台３は金属板等の剛性板から構成されている。そして、ボックス基台３の上面壁には、ケース本体１の前面開口部に対して開閉扉２を昇降出入させるための扉出入口４が設けられている。前記開閉扉２は、ケース本体１の前面開口部の高さ寸法よりも上下方向に長く形成されており、その開閉扉２がボックス基台３の扉出入口４に対して昇降スライド自在に挿入されている。ボックス基台３内には、開閉扉２の下端部を保持して当該開閉扉２を昇降方向にガイドする伸縮ガイド機構５と、この伸縮ガイド機構５をを介して開閉扉２を昇降駆動する扉開閉駆動機構（扉駆動手段）１１が収納配置されている。
【００２２】
前記伸縮ガイド機構５は、ボックス基台３の内部両側に直立配置された左右一対のガイドレール６と、当該ガイドレール６にそれぞれ昇降摺動自在に嵌合されて縦方向（昇降方向）に延びる第１のスライド部材７と、このスライド部材７に昇降摺動自在に嵌合されて縦方向に延びる第２のスライド部材８とからなり、第２のスライド部材８に対して開閉扉２の下端部を一体的に連結保持させるためのブラケット９を取り付けた構成となっている。さらに詳述すると、前記ガイドレール６は断面コ字形状に形成され、そのコ字形状の開放端側をボックス基台３の内部両側で対向させて開閉扉２の昇降軌線に沿って直立するように配置されている。このような左右のガイドレール６内をそれぞれ昇降摺動する第１のスライド部材７は幅方向中心部に縦レール部７ａを有しており、この縦レール部７ａに第２のスライド部材８が昇降自在に嵌め込まれている。その第２のスライド部材８には、当該スライド部材８の下降位置で左右のガイドレール６のそれぞれの外側に位置する左右のブラケット９が取り付けられている。左右のブラケット９には、両者に跨る扉取付用のブラケット１０が水平に取り付けられている。扉取付用のブラケット１０は垂直面を有しており、その垂直面に対して開閉扉２の下端側裏面が面接触状態で強力接着剤やネジ止め等の手段で一体的に結合してある。したがって、前記開閉扉２は、前記伸縮ガイド機構５およびブラケット１０によって常に垂直姿勢に保持され、前記ケース本体１に対して非接触状態で昇降するようになっている。
【００２３】
前記扉開閉駆動機構１１は、前記ボックス基台３内に配置された電磁ブレーキ付き開閉機（以下、電磁モータという）１２と、この電磁モータ１２によって同期回転駆動される左右の無端ベルト（無端回転部材）２１，２２とを備え、それらの無端ベルト２１，２２に対して伸縮ガイド機構５上部側の第２のスライド部材８を連動させた構成となっている。さらに詳述すると、図２に示す伸縮ガイド機構５の最大伸長状態において、その最上部となる第２のスライド部材８の近傍には、当該スライド部材８をブラケット１０との間で挟む位置に水平回転軸１４が配置されている。この水平回転軸１４には、前記でも１２の出力軸に嵌着された主動スプロケット１３に対応する従動スプロケット１５が嵌着され、それらのスプロケット１３，１５に伝動チェーン１６が噛合巻回されて水平回転軸１４が電磁モータ１２で回転駆動されるようになっている。その電磁モータ１２はリモコンによって起動・停止制御されるようになっている。
【００２４】
また、前記水平回転軸１４の両端側にはベルト巻回用の上部プーリ１７，１９が嵌着され、これらの上部プーリ１７，１９のそれぞれの真下には下部プーリ１８，２０が軸支配置され、その上部プーリ１７及び１９と下部プーリ１８及び２０は、１基のでも２によって垂直方向に同期回転駆動されるようになっている。そして、前記無端ベルト２１，２２のそれぞれと、前記伸縮ガイド機構５の最上部となる第２のスライド部材９に取り付けられたブラケット９とが接続具２３によって連結されている。なお、図２〜図４において、符号２４，２５はアイドラである。
【００２５】
以上のように構成されたショーケース（透明開閉装置）は、前記開閉扉２の閉じ動作時に当該開閉扉２による人体の手首等の挟み込み危険因子を検知する危険因子検知手段３０（図５参照）を備えている。この危険因子検知手段３０は危険因子検知時の出力信号で前記扉駆動手段１１を自動停止させるものである。図５に示す危険因子検知手段３０は、前記開閉扉２の上端両側部に左右一対の発光器３１と受光器３２とを実装してなる光センサからなっている。ここで、開閉扉２の上端両側部には図６（Ａ）に示すように切欠状をなす左右のセンサ取付部２Ａが設けられ、これらのセンサ取付部２Ａに前記発光器３１と受光器３２のそれぞれを嵌め込み実装している。また、開閉扉２の上面には図６（Ｂ）に示すように円弧凹状の溝部２Ｂが設けられており、この溝部２Ｂに沿って前記発光器３１からの光線を受光器３２に受光させるようにしている。なお、危険因子検知手段３０として光センサの受光器３２は扉駆動手段１１に配線接続されるが、この場合、その接続配線としては透明フィルム状のものにプリント配線されたものを適用し、それを開閉扉２の側面に設けられた縦溝内に配線して扉駆動手段１１に接続することが好ましい。
【００２６】
次に、上記実施の形態１のショーケースにおける開閉扉２の動作を説明する。
図２に示すように、開閉扉２が閉じた状態において、リモコン操作により電磁モータ１２を図２中で反時計回り方向に回転起動させると、その回転駆動力が伝動チェーン１６を介して水平回転軸１４に伝達させることで左右の無端ベルト２１，２２が図２中で反時計回り方向に同期回転する。このとき、無端ベルト２１，２２の下降側ベルト部に接続具２３で連結されたブラケット９が下降することにより、そのブラケット９と一体に開閉扉２が下降する。これによりケース本体１の前面開口部が開かれる。ここで、前記ブラケット９の下降時には、これと一体に第２のスライド部材８が下降し、これに伴って第１のスライド部材７が自重下降し、そのスライド部材７の下端がガイドレール６の内底部に当接した後においても、第２のスライド部材８が下降を継続することにより、その第２のスライド部材８と一体のブラケット９，１０を介して開閉扉２がケース本体１の前面開口部の全開位置までボックス基台３内に下降収納される。
【００２７】
このような開閉扉２の全開状態から電磁モータ１２をリモコン操作で逆回転起動させると、無端ベルト２１によって伸縮ガイド機構５最上部の第２のスライド部材８と一体のブラケット９，１０が引き上げられ、これに追従して第１のスライド部材７が第２のスライド部材８で引き上げられることにより、開閉扉２が上昇してケース本体１の開口部を全閉する。その開閉扉２の上昇による閉じ動作時において、当該開閉扉２の閉じ方向端部（上端部）とケース本体１との間に手首等の挟み込み危険因子があると、この挟み込み危険因子によって危険因子検知手段（光センサ）３０の発光器３１と受光器３２との間の光線が遮られることで前記挟み込み危険因子を検知し、その危険因子検知信号によって扉駆動手段１１が自動的に停止する。これにより、閉じ動作中の前記開閉扉２による手首等の挟み込み事故が防止される。
【００２８】
なお、ボックス基台３内には、伸縮ガイド機構５の最大伸長位置（開閉扉２の全閉位置）および伸縮ガイド機構５の最短縮小位置（開閉扉２の全開位置）を検知するリミットスイッチ（図示せず）が配置され、このリミットスイッチが伸縮ガイド機構５のスライド部材８もしくは７等の昇降可動部でＯＮされることにより、電磁モータ１２が自動停止するようになっているものである。
【００２９】
以上説明した実施の形態１によれば、ボックス基台３上に載置固定されたケース本体１の前面開口部を昇降開閉する開閉扉２を、ケース本体１の前面開口部の高さよりも上下方向に長く形成し、その開閉扉２をケース本体１の扉出入口４に昇降スライド自在に挿入し、かつ前記ボックス基台３内には、前記開閉扉２の昇降方向に沿って伸縮可能な伸縮ガイド機構５を収納配置し、この伸縮ガイド機構５の最上部（スライド部材８）にブラケット１０を介して開閉扉２の下端側を連結保持させると共に、ボックス基台３内における伸縮ガイド機構５の近傍には当該伸縮ガイド機構５に沿って回転駆動される縦型の無端ベルト２１を配置し、この無端ベルト２１に伸縮ガイド機構５のスライド部材８を連結し、その無端ベルト２１にでも１２で正逆回転駆動するように構成したので、前記ボックス基台３上にはケース本体１と開閉扉２とが存在するのみであって、それら以外の部材等は何ら存在しないので、前記ケース本体１と開閉扉２のそれぞれを透明ガラスとした場合、ケース本体１内の展示物を鮮明に透視させることができ、ショーケースの美的外観が向上するという効果がある。
【００３０】
特に、この実施の形態１のショーケースによれば、開閉扉２の閉じ動作時において、当該開閉扉２の閉じ方向端部とケース本体１との間に手首等の挟み込み危険因子があると、これを危険因子検知手段（光センサ）３０が検知して扉駆動手段１１を自動停止させるので、ケース本体１および開閉扉２のそれぞれがガラス等の透明部材で形成され、かつ開閉扉２が自動的に開閉駆動されるものでありながら、閉じ動作中の開閉扉２によって人体の手首等が挟み込まれる危惧のない安全性を確保することができて透明開閉装置の信頼性が向上するという効果がある。
【００３１】
また、この実施の形態１のショーケースでは、開閉扉２の上下方向の長さをケース本体１の前面開口部の高さよりも長くしてボックス基台３の扉出入口４に昇降スライド自在に挿入したことにより、ケース本体１の前面開口部を全閉状態の開閉扉２の下端側はボックス基台３内に垂下した状態となるので、その開閉扉２の下端側をボックス基台３内の伸縮ガイド機構５に連結することができ、ボックス基台３上にはケース本体１および開閉扉２とは別の部材を必要のない意匠的美観に優れたショーケースを実現できるという効果がある。しかも、開閉扉２は、その下端側が伸縮ガイド機構５の最上部のブラケット１０の垂直面に面接触状態で結合されているので、前記開閉扉２を常に垂直状態でスムーズに昇降させることができるという効果がある。また、前記開閉扉２はケース本体１に対して非接触状態で昇降させるので、その両者がガラス製であっても両者の摺接に起因した軋み音や破損等が生じる危惧もないという効果がある。なお、上記実施の形態１において、伸縮ガイド機構５の伸縮摺接部には軸受ボール（図示せず）が設けられており、これによって、伸縮ガイド機構５の昇降負荷が大幅に軽減されると共に、当該伸縮ガイド機構５の伸縮摺接部が金属軋み音を発することもないという効果がある。
【００３２】
実施の形態２．
図８（Ａ）はこの発明の実施の形態２による透明開閉装置として例示したショーケースを示す概略的な斜視図、図８（Ｂ）は図８（Ａ）の点線部分を上から見た平面図であり、図１〜図７と同一または相当部分には同一符号を付して説明を省略する。
前記実施の形態１では、危険因子検知手段３０として光センサを適用したが、この実施の形態２では、ケース本体１の底面側に複数の反射式センサ３３を所定の間隔で配置し、これらの反射式センサ３３を危険因子検知手段３０として適用したものである。なお、前記反射式センサ３３は、光線又は超音波を紙面上で上方に放射し、その反射を計測し、該計測値の差分によって挟み込み危険因子を検知し、該検知時に扉駆動手段１１を自動的に停止させるものである。
【００３３】
この実施の形態２によれば、前記実施の形態１の場合と同様の効果に加え、反射式センサ３３をケース本体１側に実装するので、開閉扉２にセンサ取付部を加工する必要がないという効果がある。
【００３４】
実施の形態３．
図９（Ａ）はこの発明の実施の形態３による透明開閉装置として例示したショーケースを示す概略斜視図、図９（Ｂ）は図９（Ａ）のＢ−Ｂ線矢視図であり、図１〜図７と同一または相当部分には同一符号を付して説明を省略する。
この実施の形態３では、開閉扉２の上面に静電式タッチパネルからなる透明の電極３４を実装することにより危険因子検知手段３０として適用し、その電極３４に手指等が触れた際に危険因子検知信号を発して扉駆動手段１１を自動的に停止させるものである。したがって、この実施の形態３の場合も前記実施の形態１の場合と同様の効果が期待できる。
【００３５】
実施の形態４．
図１０はこの発明の実施の形態４による透明開閉装置として例示したショーケースの概略的な斜視図であり、図１〜図７と同一または相当部分には同一符号を付して説明を省略する。この実施の形態４では、ケース本体１の開口部に透明電極３５を実装して誘導コイルとして使用し、手指等の接近によって変化する共振周波数の変化の度合いを共振用コンデンサ３６で収集して発振・検出回路３７で検知し、共振周波数の変化の度合いが設定距離に近づいた際に扉駆動手段１１を自動的停止させる検知手段３０として適用したものであり、この実施の形態４の場合も前記実施の形態１と同様の効果がある。
【００３６】
実施の形態５．
図１１はこの発明の実施の形態５による透明開閉装置として例示したショーケースの概略的な斜視図である。この実施の形態５では、危険因子検知手段３０として、開閉扉２の全面にシート状の透明電極３８を貼り付け実装すると共に、その透明電極３８に静電容量検出回路３９を接続したものである。この実施の形態５における前記静電容量検出回路３９は、透明電極３８とアース間の静電容量を測定し、開閉扉２の閉じ動作中に人体（手指等）が透明電極３８に接触した際に生じる静電容量の変動時に扉駆動手段１１を自動停止させるものである。
【００３７】
したがって、この実施の形態５によれば、格別のセンサを必要とせずに、閉じ動作中の開閉扉２によって人体の手指等が挟み込まれるを防止することができるという効果がある。なお、この実施の形態５では、通常の手袋を着用した者が透明電極３８に接触した際に静電容量検出回路３９には静電容量の変動が生じないので、この場合、作業従事者に炭素付きの手袋を着用させるようにすれば、その炭素付き手袋が透明電極３８に接触した場合でも前記静電容量の変動が生じるので、その変動時に扉駆動手段１１を自動停止させることができる。
【００３８】
実施の形態６．
図１２（Ａ）はこの発明の実施の形態６による透明開閉装置として例示したショーケースの概略的斜視図、図１２（Ｂ）は図１２（Ａ）のＣ−Ｃ線に沿った概略的な矢視図、図１２（Ｃ）は図１２（Ａ）中の開閉扉を拡大して危険因子検知手段との関連で示す斜視図である。この実施の形態６では、危険因子検知手段３０として、開閉扉２の周縁部に２枚の透明導電性シート４０ａ，４０ｂを離して貼り付け実装すると共に、それらの透明導電性シート４０ａ，４０ｂに跨って電圧検出回路４１を接続したものである。電圧検出回路４１は、開閉扉２の閉じ動作中に人体の手指等が透明導電性シート４０ａ，４０ｂに接触した際の電圧の変化（抵抗値の低下）を検知し、該検知時に扉駆動手段１１を自動停止させるものである。
【００３９】
この実施の形態６によれば、安価な透明導電性シート４０ａ，４０ｂを開閉扉２の周縁部に貼り付けて電圧検出回路４１を接続するだけの簡単な構成でありながら、開閉扉２の閉じ動作中に人体の手指等が透明導電性シート４０ａ，４０ｂに接触した際の電圧の変化（抵抗値の低下）によって扉駆動手段１１を自動停止させることができ、これによって、閉じ動作中の開閉扉２による人体の挟み込み事故を防止することができるという効果がある。
【００４０】
実施の形態７．
この発明の実施の形態７では、前記実施の形態１から前記実施の形態６のショーケースにおける扉駆動手段１１の操作系統に生体認証手段（図示せず）を設けたものである。この生体認証手段は、扉開閉操作者が予め生体認証された専従操作者か否かを判断して判断結果が専従操作者本人の時にのみ前記扉駆動手段１１を開閉扉２の開方向に起動させるものである。このような生体認証手段は、専従操作者本人の指紋，声紋，手・指の静脈形状，瞳の虹彩等の何れかによる人体的特徴の生体情報が予め記憶・登録された記憶手段と、扉開閉操作者の生体情報を読み取り検知する生体情報検知手段と、この生体情報検知手段で検知された検知生体情報と前記記憶手段から読み出した登録生体情報とを照合する照合手段とを有し、前記照合手段による情報照合の結果、前記検知生体情報と登録生体情報とが一致した時にのみ扉駆動手段１１を開閉扉２の少なくとも開方向に起動させる基本構成とした生体認証システムによって実現可能である。
【００４１】
以上説明した実施の形態７によれば、扉駆動手段１１の操作系統に設けられた生体認証手段によって、予め生体認証された専従操作者でしか開閉扉２を開くことができないので、貴金属や宝石等の高価商品を展示するショーケースのセキュリティをいっそう高めることができるという効果がある。
【００４２】
実施の形態８．
前記実施の形態１から前記実施の形態７のショーケースにおける扉駆動手段１１は停電時にバックアップ電源に接続されるように構成することも可能である。このような構成とすることにより、ショーケースの開閉扉２の開放状態で停電となった場合でも、その開閉扉２を扉駆動手段１１によって閉じ駆動させることができ、このため、高価商品を収納展示するショーケースの停電時においてもセキュリティを高めることができるという効果がある。
【００４３】
なお、前記実施の形態１によるショーケースでは、開閉扉２を昇降開閉させる構成としたが、その開閉扉２は水平方向や斜め方向に開閉駆動される構成とすることも可能であり、この場合も前記各実施の形態と同様の効果を得ることが可能である。また、前記各実施の形態によるショーケースのケース本体１および開閉扉２には、防盗手段としてテープ状またはシート状などの振動感知部材を実装し、これを警報器や防犯監視システムに接続しておくことも可能であり、これによって、侵入者がケース本体１や開閉扉２を破壊しようとした際の振動を感知して警報を発することができるので、セキュリティをいっそう高めることができるという効果がある。
【００４４】
なお、前記各実施の形態ではショーケースについて説明したが、その開閉扉２は、ショーケース以外の例えば建造物の開口部を開閉する開閉装置としても適用可能である。
【図面の簡単な説明】
【００４５】
【図１】この発明の実施の形態１による透明開閉装置として例示したショーケースの斜視図である。
【図２】図１の縦断側面図である。
【図３】図１の縦断平面図である。
【図４】図３のＡ−Ａ線断面図である。
【図５】図５（Ａ）はこの発明の実施の形態１によるショーケースに危険因子検知手段を取り付けた状態を示す斜視図、図５（Ｂ）は図５（Ａ）の危険因子検知手段の取付部を示す拡大図である。
【図６】図６（Ａ）はこの発明の実施の形態１によるショーケースから危険因子検知手段を取り外した状態を示す斜視図、図６（Ｂ）は図６（Ａ）の開閉扉の部分正面図および部分側面図である。
【図７】動作説明図である。
【図８】図８（Ａ）はこの発明の実施の形態２による透明開閉装置として例示したショーケースの概略的な斜視図、図８（Ｂ）は図８（Ａ）の点線部分を上から見た平面図である。
【図９】図９（Ａ）はこの発明の実施の形態３による透明開閉装置として例示したショーケースの概略的な斜視図、図９（Ｂ）は図９（Ａ）のＢ−Ｂ線矢視図である。
【図１０】この発明の実施の形態４による透明開閉装置として例示したショーケースの概略的な斜視図である。
【図１１】この発明の実施の形態５による透明開閉装置として例示したショーケースの概略的な斜視図である。
【図１２】図１２（Ａ）はこの発明の実施の形態６による透明開閉装置として例示したショーケースの概略的斜視図、図１２（Ｂ）は図１２（Ａ）のＣ−Ｃ線に沿った概略的な矢視図、図１２（Ｃ）は図１２（Ａ）中の開閉扉を拡大して危険因子検知手段との関連で示す斜視図である。
【符号の説明】
【００４６】
１  ケース本体
２  開閉扉
２Ａ  センサ取付部
２Ｂ  溝部
３  ボックス基台
４  扉出入口
５  伸縮ガイド機構
６  ガイドレール
７  第１のスライド部材
７ａ  縦レール部
８  第２のスライド部材
９，１０  ブラケット
１１  扉開閉駆動機構（扉駆動手段）
１２  電磁ブレーキ付き開閉機
１３  主動スプロケット
１４  水平回転軸
１５  従動スプロケット
１６  伝動チェーン
１７〜２０  プーリ
２１，２２  無端ベルト
２３  接続具
２４，２５  アイドラ
３０  危険因子検知手段
３１  発光器
３２  受光器
３３  反射式センサ
３４  電極
３５  透明電極
３６  共振用コンデンサ
３７  発振・検出回路
３８  透明電極
３９  静電容量検出回路
４０ａ，４０ｂ  透明導電性シート
４１  電圧検出回路
【図１】
2009013612.tif 000003
【図２】
2009013612.tif 000004
【図３】
2009013612.tif 000005
【図４】
2009013612.tif 000006
【図５】
2009013612.tif 000007
【図６】
2009013612.tif 000008
【図７】
2009013612.tif 000009
【図８】
2009013612.tif 000010
【図９】
2009013612.tif 000011
【図１０】
2009013612.tif 000012
【図１１】
2009013612.tif 000013
【図１２】
2009013612.tif 000014